(57)【要約】【課題】収納する製品の数に拘わらず、材料費を安価にすることができ、組立も容易である梱包構造を提供する。【解決手段】上側及び下側仕切部材２，３（一対の仕切部材）と、第１及び第２保持部材４，５（保持部材）とを備える。上側及び下側仕切部材２，３には、製品を収納するための上側及び下側収納孔２５，３５（収納孔）が複数形成されている。第１及び第２保持部材４，５は、上側及び下側仕切部材２，３間に設けられ、この上側及び下側仕切部材２，３を保持する。【選択図】図１
2008030827.tif 000002
【特許請求の範囲】
【請求項１】
複数の製品を仕切って梱包するための梱包構造であって、
上記製品を収納するための収納孔がそれぞれ複数形成された一対の仕切部材と、  
上記一対の仕切部材間に設けられ、該一対の仕切部材を保持する保持部材と、
を備えていることを特徴とする梱包構造。
【請求項２】
請求項１に記載の梱包構造であって、
上記保持部材は、互いに交差して組み合わされる第１保持板と第２保持板とで構成されていることを特徴とする梱包構造。
【請求項３】
請求項２に記載の梱包構造であって、
上記第１保持板と第２保持板とは、互いに直交して組み合わされていることを特徴とする梱包構造。
【請求項４】
請求項３に記載の梱包構造において、
上記一対の仕切部材は、仕切板をそれぞれ備え、
上記各仕切板には、該仕切板の厚さ方向に見て、上記収納孔が、上記第１保持板の延びる方向に等間隔で偶数個、かつ、上記第２保持板の延びる方向に等間隔で偶数個それぞれ開けられ、
上記第１保持板は、上記仕切板の厚さ方向に見て、上記第２保持板の延びる方向に上記収納孔を２分割するとともに、上記仕切板の中心を通る位置に配設され、
上記第２保持板は、上記仕切板の厚さ方向に見て、上記第１保持板の延びる方向に上記収納孔を２分割するとともに、上記仕切板の中心を通る位置に配設されていることを特徴とする梱包構造。
【請求項５】
請求項１に記載の梱包構造であって、
上記保持部材は、間隔をあけて並べられる２つの第１保持板と、該２つの第１保持板に交差して組み合わされる第２保持板とで構成されていることを特徴とする梱包構造。
【請求項６】
請求項５に記載の梱包構造であって、
上記２つの第１保持板は、互いに平行に配置され、
上記第２保持板は、上記２つの第１保持板に直交して組み合わされていることを特徴とする梱包構造。
【請求項７】
請求項６に記載の梱包構造において、
上記一対の仕切部材は、仕切板をそれぞれ備え、
上記各仕切板には、該仕切板の厚さ方向に見て、上記収納孔が、上記第２保持板の延びる方向に等間隔で偶数個、かつ、上記第１保持板の延びる方向に等間隔で奇数個それぞれ開けられ、
上記２つの第１保持板は、上記仕切板の厚さ方向に見て、該仕切板の中心に関して互いに対称となるように配設され、
上記第２保持板は、上記仕切板の厚さ方向に見て、上記第１保持板の延びる方向に上記収納孔を２分割し、かつ、上記仕切板の中心を通る位置に配設されていることを特徴とする梱包構造。
【請求項８】
請求項１に記載の梱包構造であって、
上記保持部材は、間隔をあけて並べられる２つの第１保持板と、間隔をあけて並べられ、上記２つの第１保持板にそれぞれ交差して組み合わされる２つの第２保持板とで構成されていることを特徴とする梱包構造。
【請求項９】
請求項８に記載の梱包構造であって、
上記２つの第１保持板は、互いに平行に配置され、
上記２つの第２保持板は、互いに平行に配置されて、上記２つの第１保持板にそれぞれ直交して組み合わされていることを特徴とする梱包構造。
【請求項１０】
請求項９に記載の梱包構造において、
上記一対の仕切部材は、仕切板をそれぞれ備え、
上記各仕切板には、該仕切板の厚さ方向に見て、上記収納孔が、上記第２保持板の延びる方向に等間隔で奇数個、かつ、上記第１保持板の延びる方向に等間隔で奇数個それぞれ設けられ、
上記２つの第１保持板は、上記仕切板の厚さ方向に見て、該仕切板の中心に関して互いに対称となるように配設され、
上記２つの第２保持板は、上記仕切板の厚さ方向に見て、該仕切板の中心に関して互いに対称となるように配設されていることを特徴とする梱包構造。
【請求項１１】
請求項１から１０のいずれか１つに記載の梱包構造であって、
上記一対の仕切部材は、上記保持部材の上側に配置される上側仕切部材と、該保持部材の下側に配置される下側仕切部材とで構成されていることを特徴とする梱包構造。
【請求項１２】
請求項１１に記載の梱包構造であって、
上記上側仕切部材は上側仕切板を備え、
上記下側仕切部材は下側仕切板を備え、
上記収納孔のうち上記下側仕切板に形成される各下側収納孔は、上記収納孔のうち上記上側仕切板に形成される各上側収納孔に相対する位置に形成されていることを特徴とする梱包構造。
【請求項１３】
請求項１２に記載の梱包構造において、
上記各上側収納孔の開口周縁から下方に向かって内側に突出する可撓性の上側突出片が形成されていることを特徴とする梱包構造。
【請求項１４】
請求項１２に記載の梱包構造において、
上記各下側収納孔の開口周縁から下方に向かって内側に突出する可撓性の下側突出片が形成されていることを特徴とする梱包構造。
【請求項１５】
請求項１２に記載の梱包構造において、
上記各上側収納孔の開口周縁から下方に向かって内側に突出する可撓性の上側突出片が形成され、
上記各下側収納孔の開口周縁から下方に向かって内側に突出する可撓性の下側突出片が形成されていることを特徴とする梱包構造。
【請求項１６】
請求項１２から１５のいずれか１つに記載の梱包構造において、
上記各下側収納孔は上記各上側収納孔よりも大きな開口となるように形成されていることを特徴とする梱包構造。
【請求項１７】
請求項１２から１６のいずれか１つに記載の梱包構造において、
上記保持部材と、上記上側及び下側仕切部材とを収納する収納箱をさらに備え、
上記上側仕切板から上記収納箱の上端までの高さが、該収納箱の下端から上記下側仕切板までの高さよりも小さいことを特徴とする梱包構造。
【請求項１８】
請求項１から１７のいずれか１つに記載の梱包構造において、
上記保持部材は矩形状の板状部材であり、該矩形の四隅には、上記一対の仕切部材側に向かってそれぞれ突出する突片が形成され、
上記各仕切部材には、上記各突片と係合する切欠が該各突片と対応する位置にそれぞれ設けられていることを特徴とする梱包構造。
【請求項１９】
請求項１から１８のいずれか１つに記載の梱包構造において、
上記製品は、電子機器であることを特徴とする梱包構造。
【発明の詳細な説明】
【技術分野】
【０００１】
複数の製品を梱包する梱包構造に関する。
【背景技術】
【０００２】
従来より、複数の製品を梱包して搬送する際に、衝撃による製品の破損等を防ぐため、パッキングケースの内部をダンボール等で仕切り、製品が入る空間を形成する梱包構造が知られている。この梱包構造は、ダンボール等により衝撃を吸収し、隣り合った製品同士の接触による衝撃を和らげて製品の破損を防ぐものである。
【０００３】
具体的には、例えば特許文献１では、縦横に組合わせた波目構造の紙製仕切板のうち、一方の仕切板に、横方向の波目を有する仕切板が使用される。これにより、仕切板が紙製であるにも拘わらず、仕切板の横方向の荷重に対する剛性をあげて製品の倒れを防止し、梱包作業の稼動率及び作業能率を向上させるものである。
【０００４】
また、特許文献２の梱包箱は、梱包箱本体の内部を複数の小室に区分けする仕切板と、箱本体内で仕切板の上下の開放面を閉鎖するようにそれぞれ配設される天板及び底板とを備える。この底板は、仕切板を構成する複数の長板の端部を差し込む切込みを有する突起部を複数形成し、仕切板がばたつかないように押さえるようになっている。
【０００５】
また、特許文献３の梱包用仕切構造体は、輸送品の側面を覆うように仕切られ、かつ上方及び下方が開口して輸送品の収納及び取出しが自在となるように設けられた複数の収納空間を形成する仕切部材と、複数の収納空間を跨ぎ、各収納空間に収納される各輸送品の上面及び下面の一部が当接するように、収納空間の上部及び下部に配置され、収納空間内に収納される輸送品の上方向及び下方向への衝撃に対して緩衝性を有する緩衝材とからなる。
【０００６】
また、特許文献４では、互いに平行に配置された複数の第１の仕切板と、複数の第１の仕切板に対して垂直に組み合わされた複数の第２の仕切板とを備え、複数の第１の仕切板のうち隣り合う２つの仕切板と前記複数の第２の仕切板のうち隣り合う２つの仕切板とによって、四角筒形状を有する区画部がそれぞれ形成され、これら区画部のうち一部を前記製品を収容されるための収容部とし、かつ、他の区画部を収容部の周囲に位置するとともに梱包箱の外部から前記収容部に衝撃が加わることを抑制するための緩衝部とする梱包構造が示されている。
【特許文献１】実開昭６２−９５５２３号公報
【特許文献２】特開２００３−１５５０２７号公報
【特許文献３】特開２００３−３１２６４８号公報
【特許文献４】特開２００５−３１３９６９号公報
【発明の開示】
【発明が解決しようとする課題】
【０００７】
しかしながら、特許文献１〜４の梱包構造では、仕切板を縦横に組合わせることで、製品を入れる空間を設けている。このため、収納する製品の数が増えるほど仕切板が多数必要となり、材料費が高価になってしまうとともに、組立作業に時間がかかってしまうという問題がある。
【０００８】
本発明は、かかる点に鑑みてなされたものであり、その目的とするところは、収納する製品の数に拘わらず、材料費を安価にすることができ、組立も容易である梱包構造を提供することにある。
【課題を解決するための手段】
【０００９】
本発明に係る第１の梱包構造は、複数の製品を仕切って梱包するための梱包構造であって、上記製品を収納するための収納孔がそれぞれ複数形成された一対の仕切部材と、上記一対の仕切部材間に設けられ、該一対の仕切部材を保持する保持部材と、を備えている。
【００１０】
上記の構成によると、一対の仕切部材は、その間に設けられた保持部材によって保持される。一対の仕切部材の各々に形成された収納孔に製品を挿入することによって、製品が２つの収納孔の開口周縁部によって支えられて収納される。収納孔を複数形成することによって、複数の製品が収納される。収納する製品の数に拘わらず、一対の仕切部材と保持部材とによって製品が収納される。すなわち、収納孔を製品の数に応じて形成すればよく、製品を仕切って収納する仕切部材の数を増やす必要がないので、材料費が安価になる。また、一対の仕切部材と保持部材とを組み立てればよいだけなので、組立作業が容易である。
【００１１】
本発明に係る第２の梱包構造は、上記保持部材は、互いに交差して組み合わされる第１保持板と第２保持板とで構成されている。
【００１２】
上記の構成によると、互いに交差して組み合わされた第１及び第２保持板によって、一対の仕切部材が保持される。保持部材が２枚の保持板によって構成されるので、一対の仕切部材と合わせて４つの部材により製品が収納される。これらの４つの部材を組み合わせればよいだけなので、組立作業が容易であるとともに、軽量な梱包構造となる。
【００１３】
本発明に係る第３の梱包構造は、上記第１保持板と第２保持板とは、互いに直交して組み合わされている。
【００１４】
上記の構成によると、互いに直交して組み合わされた第１及び第２保持板によって、一対の仕切部材が保持される。保持部材が２枚の保持板によって構成され、一対の仕切部材と合わせた４つの部材を組み合わせればよいだけなので、組立作業が容易であるとともに、軽量な梱包構造となる。なお、ここで直交して組み合わすとは、第１及び第２保持板のなす角が厳密に９０°である必要はなく、９０°に近い角度で交差していればよい。
【００１５】
本発明に係る第４の梱包構造は、第３の梱包構造において、上記一対の仕切部材は、仕切板をそれぞれ備え、上記各仕切板には、該仕切板の厚さ方向に見て、上記収納孔が、上記第１保持板の延びる方向に等間隔で偶数個、かつ、上記第２保持板の延びる方向に等間隔で偶数個それぞれ開けられ、上記第１保持板は、上記仕切板の厚さ方向に見て、上記第２保持板の延びる方向に上記収納孔を２分割するとともに、上記仕切板の中心を通る位置に配設され、上記第２保持板は、上記仕切板の厚さ方向に見て、上記第１保持板の延びる方向に上記収納孔を２分割するとともに、上記仕切板の中心を通る位置に配設されている。
【００１６】
上記の構成によると、収納孔が、第１保持板の延びる方向に偶数個、かつ第２保持板の延びる方向に偶数個形成される場合、保持部材は、第１及び第２保持板の２枚によって構成され、この２枚の保持板によって、仕切部材がバランスよく保持される。すなわち、互いに直交して組み合わされた第１及び第２保持板が、仕切板の中心を通るとともに、収納孔をそれぞれ２分割する位置に配設される。収納孔は、等間隔に並んでおり、仕切板に、収納孔が第１及び第２保持板に関してそれぞれ対称に配置されることになる。これにより、収納孔に製品が収納されても、仕切部材が、２つの第１及び第２保持板によってバランスよく支持される。
【００１７】
本発明に係る第５の梱包構造は、上記保持部材は、間隔をあけて並べられる２つの第１保持板と、該２つの第１保持板に交差して組み合わされる第２保持板とで構成されている。
【００１８】
上記の構成によると、互いに交差して組み合わされた２つの第１保持板と、第２保持板とによって、一対の仕切部材が保持される。保持部材が３つの保持板によって構成されるので、一対の仕切部材と合わせて５つの部材により製品が収納される。これらの５つの部材を組み合わせればよいだけなので、組立作業が容易であるとともに、軽量な梱包構造となる。
【００１９】
本発明に係る第６の梱包構造は、第５の梱包構造において、上記２つの第１保持板は、互いに平行に配置され、上記第２保持板は、上記２つの第１保持板に直交して組み合わされていることが好ましい。
【００２０】
上記の構成によると、互いに直交して組み合わされた２つの第１保持板と、第２保持板とによって、一対の仕切部材が保持される。保持部材が３つの保持板によって構成され、一対の仕切部材と合わせた５つの部材を組み合わせればよいだけなので、組立作業が容易であるとともに、軽量な梱包構造となる。ここで、平行とは、厳密な意味での平行でなくてもよく、多少傾いていてもよい。
【００２１】
本発明に係る第７の梱包構造は、第６の梱包構造において、上記一対の仕切部材は、仕切板をそれぞれ備え、上記各仕切板には、該仕切板の厚さ方向に見て、上記収納孔が、上記第２保持板の延びる方向に等間隔で偶数個、かつ、上記第１保持板の延びる方向に等間隔で奇数個それぞれ開けられ、上記２つの第１保持板は、上記仕切板の厚さ方向に見て、該仕切板の中心に関して互いに対称となるように配設され、上記第２保持板は、上記仕切板の厚さ方向に見て、上記第１保持板の延びる方向に上記収納孔を２分割し、かつ、上記仕切板の中心を通る位置に配設されている。
【００２２】
上記の構成によると、収納孔が、第１保持板の延びる方向に奇数個、かつ第２保持板の延びる方向に偶数個形成される場合、保持部材は、２つの第１保持板及び第２保持板の３つによって構成され、この３つの保持板によって、仕切部材がバランスよく保持される。すなわち、２つの第１保持板は、仕切板の中心に関して互いに対称となるように配設され、第２保持板は、仕切板の中心を通るとともに、収納孔をそれぞれ２分割する位置に配設される。この第１及び第２保持板によって保持された仕切部材の仕切板に、収納孔が等間隔に並んで形成されることにより、収納孔に製品が収納されても、仕切部材がバランスよく支持される。
【００２３】
本発明に係る第８の梱包構造は、上記保持部材が、間隔をあけて並べられる２つの第１保持板と、間隔をあけて並べられ、上記２つの第１保持板にそれぞれ交差して組み合わされる２つの第２保持板とで構成されている。
【００２４】
上記の構成によると、互いに交差して組み合わされた２つの第１保持板と、２つの第２保持板とによって、一対の仕切部材が保持される。保持部材が４つの保持板によって構成されるので、一対の仕切部材と合わせて６つの部材により製品が収納される。これらの６つの部材を組み合わせればよいだけなので、組立作業が容易であるとともに、軽量な梱包構造となる。また４つの保持板によって仕切り部材を保持するので、２つの保持板により保持する場合に比べて、堅固な梱包構造となる。
【００２５】
本発明に係る第９の梱包構造は、第８の梱包構造において、上記２つの第１保持板が、互いに平行に配置され、上記２つの第２保持板が、互いに平行に配置されて、上記２つの第１保持板にそれぞれ直交して組み合わされている。
【００２６】
上記の構成によると、互いに直交して組み合わされた２つの第１保持板と、２つ第２保持板とによって、一対の仕切部材が保持される。保持部材が４つの保持板によって構成され、一対の仕切部材と合わせた６つの部材を組み合わせればよいだけなので、組立作業が容易であるとともに、軽量な梱包構造となる。
【００２７】
本発明に係る第１０の梱包構造は、第９の梱包構造において、上記一対の仕切部材が、仕切板をそれぞれ備え、上記各仕切板には、該仕切板の厚さ方向に見て、上記収納孔が、上記第２保持板の延びる方向に等間隔で奇数個、かつ、上記第１保持板の延びる方向に等間隔で奇数個それぞれ設けられ、上記２つの第１保持板は、上記仕切板の厚さ方向に見て、該仕切板の中心に関して互いに対称となるように配設され、上記２つの第２保持板は、上記仕切板の厚さ方向に見て、該仕切板の中心に関して互いに対称となるように配設されている。
【００２８】
上記の構成によると、収納孔が、第１保持板の延びる方向に奇数個、かつ第２保持板の延びる方向に奇数個形成される場合、保持部材は、２つの第１保持板及び２つの第２保持板の４つによって構成され、この４つの保持板によって、仕切部材がバランスよく保持される。すなわち、２つの第１保持板および２つの第２保持板はそれぞれ、仕切板の中心に関して互いに対称となるように配設される。この第１及び第２保持板によって保持された仕切部材の仕切板に、収納孔が等間隔に並んで形成されることにより、収納孔に製品が収納されても、仕切部材がバランスよく支持される。
【００２９】
本発明に係る第１１の梱包構造は、上記一対の仕切部材が、上記保持部材の上側に配置される上側仕切部材と、該保持部材の下側に配置される下側仕切部材とで構成されている。
【００３０】
上記の構成によると、一対の仕切部材は、上側仕切部材と下側仕切部材とで構成され、保持部材を上下に挟持するように配置されている。そして、上側仕切部材は、保持部材の上側でもって、下側仕切部材は、保持部材の下側でもってそれぞれ保持される。
【００３１】
本発明に係る第１２の梱包構造は、第１１の梱包構造であって、上記上側仕切部材は上側仕切板を備え、上記下側仕切部材は下側仕切板を備え、上記収納孔のうち上記下側仕切板に形成される各下側収納孔は、上記収納孔のうち上記上側仕切板に形成される各上側収納孔に相対する位置に形成されている。
【００３２】
上記の構成によると、上側仕切部材は上側仕切板を、下側仕切部材は下側仕切板をそれぞれ備え、この上側及び下側仕切板に、上側収納孔及び下側収納孔がそれぞれ形成されている。そして、各下側収納孔が各上側収納孔に相対する位置に形成されているので、製品を上側収納孔から下側収納孔に真っ直ぐに差し込むと、上側及び下側収納孔に収納され、これらの開口周縁部によって製品が支えられる。
【００３３】
本発明に係る第１３の梱包構造は、第１２の梱包構造において、上記各上側収納孔の開口周縁から下方に向かって内側に突出する可撓性の上側突出片が形成されている。
【００３４】
上記の構成によると、上側収納孔には上側突出片が形成されており、この上側収納孔に、突出片を下方に撓ませながら製品を挿入する。突出片を撓ませて挿入することにより、製品が突出片の復元力により保持されてがたつきが抑制されるとともに、突出片が輸送時の振動、落下の衝撃等の緩衝材としての役目を果たす。また、突出片が下方に向かって突出していることにより、上から製品を挿入する時に突出片が抵抗となりにくいので挿入しやすく、突出片を撓ませやすい。
【００３５】
本発明に係る第１４の梱包構造は、第１２の梱包構造において、上記各下側収納孔の開口周縁から下方に向かって内側に突出する可撓性の下側突出片が形成されている。
【００３６】
上記の構成によると、下側収納孔に下側突出片が形成されており、下側収納孔において、製品が突出片の復元力により保持されてがたつきが抑制されるとともに、輸送時の振動、落下の衝撃等から緩衝される。また、上側収納孔には突出片が形成されていないため、製品が挿入しやすい。
【００３７】
本発明に係る第１５の梱包構造は、第１２の梱包構造において、上記各上側収納孔の開口周縁から下方に向かって内側に突出する可撓性の上側突出片が形成され、上記各下側収納孔の開口周縁から下方に向かって内側に突出する可撓性の下側突出片が形成されている。
【００３８】
上記の構成によると、上側収納孔及び下側収納孔の２箇所において、突出片が緩衝材としての役目を果たすことにより、上側及び下側のいずれか１箇所に突出片が形成される場合に比べて、より衝撃に強い梱包構造となる。
【００３９】
本発明に係る第１６の梱包構造は、第１２から１５のいずれか１つの梱包構造において、上記各下側収納孔は上記各上側収納孔よりも大きな開口となるように形成されている。
【００４０】
上記の構成によると、上側収納孔に挿入した製品を下側収納孔に挿入して貫通させることが容易となる。
【００４１】
本発明に係る第１７の梱包構造は、第１２から１６のいずれか１つの梱包構造において、上記保持部材と、上記上側及び下側仕切部材とを収納する収納箱をさらに備え、上記上側仕切板から上記収納箱の上端までの高さが、該収納箱の下端から上記下側仕切板までの高さよりも小さい。
【００４２】
上記の構成によると、上側仕切板から収納箱の上端までの高さと、収納箱の下端から下側仕切板までの高さとが同じである場合に比べて、同じ高さの収納箱に収納すると、下側仕切板の収納箱の下端からの高さが高く、上側仕切板と下側仕切板との間隔が狭くなる。このため、上側収納孔と下側収納孔とが近く配設されて、上側収納孔から下側収納孔への製品の挿入が容易となる。
【００４３】
本発明に係る第１８の梱包構造は、上記保持部材が矩形状の板状部材であり、該矩形の四隅には、上記一対の仕切部材側に向かってそれぞれ突出する突片が形成され、上記各仕切部材には、上記各突片と係合する切欠が該各突片と対応する位置にそれぞれ設けられている。
【００４４】
上記の構成によると、保持部材の各突片と、仕切部材の各切欠とを係合させることにより、容易に保持部材と仕切部材とを組み付けることができるので、組立作業が容易である。
【００４５】
本発明に係る第１９の梱包構造は、上記製品が、電子機器である。この構成により、材料費が安価で、かつ組立作業が容易な電子機器の梱包構造が得られる。
【発明の効果】
【００４６】
本発明によれば、収納する製品の数に拘わらず、梱包構造が、一対の仕切部材とこの仕切部材を保持する保持部材とで構成されるので、材料費が安価であり、かつ、組立作業が容易な梱包構造を提供することができる。
【発明を実施するための最良の形態】
【００４７】
以下、本発明の実施形態を図面に基づいて説明する。
（実施形態１）
図１に示すように、本発明の実施形態１に係る梱包構造１は、複数の製品９（図３に仮想線で示す）を仕切って梱包するためのものである。製品９は、例えば、携帯端末等の電子機器である。
【００４８】
梱包構造１は、一対の仕切部材である上側仕切部材２及び下側仕切部材３と、これらの上側及び下側仕切部材２，３を保持する保持部材とを備えている。保持部材は、第１保持板４及び第２保持板５とで構成されている。梱包構造１は、上側及び下側仕切部材２，３と第１及び第２保持板４，５とを収納する収納箱６をさらに備えている。
【００４９】
図２にも示すように、第１及び第２保持板４，５は矩形状であって、長手方向中央に、それぞれスリット７が形成されている。第１及び第２保持板４，５のスリット７，７を互いに係合させることで、第１及び第２保持板４，５が互いに直交して、十字状に組み合わされる。第１及び第２保持板４，５の矩形の四隅には、その幅方向外側に突出した突片８，８，…がそれぞれ形成されている。
【００５０】
図１に示すように、上側仕切部材２は箱状の部材であって、箱の底面を構成する略正方形の上側仕切板２１と、箱の側面を構成する４つの側壁部２２，２２，…とを備えている。上側仕切板２１における各辺縁の中央から各側壁部２２に亘って、切欠２３，２３，…が開けられている。切欠２３，２３，…は、上記第１及び第２保持板４，５の上側の各突片８と対応する位置に形成され、これらの各突片８と係合するものである。第１及び第２保持板４，５の上側の突片８，８，…と、上側仕切部材２の切欠２３，２３，…とを係合させることにより、第１及び第２保持板４，５と上側仕切部材２とを容易に組み付けることができる。
【００５１】
上側仕切板２１には、製品９を収納するための上側収納孔２５が複数形成されている。上側収納孔２５は矩形状であって、上側仕切板２１の厚さ方向に見て、上側仕切板２１の正方形の各辺と平行に等間隔に並べられている。上側収納孔２５は、包装袋で包んだ製品９を容易に挿入できるように、製品９の断面の大きさよりも少し大きめに開けられている。例えば、製品９の断面寸法が２５ｍｍ×５０ｍｍであれば、上側収納孔２５を２８ｍｍ×５３ｍｍの矩形状に形成する。
【００５２】
具体的には、上側収納孔２５，２５，…は、上記第１保持板４の延びる方向に４つ、第２保持板５の延びる方向に６つ並んで開けられている。なお、上側収納孔２５の数は、これらには限定されず、第１及び第２保持板４，５の延びる方向にそれぞれ偶数個ずつ開けられればよい。上側収納孔２５の数は、梱包しようとする製品９の数、上側仕切板２１の大きさ等により任意に設定することができる。
【００５３】
そして、第１保持板４は、上側仕切板２１の厚さ方向に見て、第２保持板５の延びる方向において、上側収納孔２５，２５，…を２分割するとともに、上側仕切板２１の中心を通る位置に配設される。一方、第２保持板５は、上側仕切板２１の厚さ方向に見て、第１保持板４の延びる方向において、上側収納孔２５，２５，…を２分割するとともに、上側仕切板２１の中心を通る位置に配設される。このように第１及び第２保持板４，５が配設されることにより、２枚の支持板で上側仕切部材２をバランスよく保持することができる。
【００５４】
下側仕切部材３は、上側仕切部材２と同一形状の箱状部材であり、箱の底面を構成する略正方形の下側仕切板３１と、箱の側面を構成する４つの側壁部３２，３２，…とを備えている。下側仕切板３１における各辺縁の中央から各側壁部３２に亘って、切欠３３，３３，…が開けられている。切欠３３，３３，…は、上記第１及び第２保持板４，５の下側の各突片８と対応する位置に形成され、これらの各突片８と係合するものである。下側仕切板３１が各側壁部３２，３２，…の上側になる向きに下側仕切部材３を配置し、上側仕切部材２と同様に、第１及び第２保持板４，５の下側の突片８，８，…と、下側仕切部材３の切欠３３，３３，…とを係合させることにより、第１及び第２保持板４，５と下側仕切部材３とを容易に組み付けることができる。
【００５５】
下側仕切板３１には、各上側仕切板２１の上側収納孔２５と相対する位置に、上側収納孔２５と同一形状かつ同数の下側収納孔３５が形成されている。
【００５６】
また、上側仕切部材２と同様に、２つの第１及び第２保持板４，５によって、下側仕切部材３をバランスよく保持することができる。すなわち、第１保持板４が、下側仕切板３１の厚さ方向に見て、第２保持板５の延びる方向において下側収納孔３５を２分割するとともに、下側仕切板３１の中心を通る位置に配設される。一方、第２保持板５は、下側仕切板３１の厚さ方向に見て、第１保持板４の延びる方向において、下側収納孔３５を２分割するとともに、下側仕切板３１の中心を通る位置に配設される。
【００５７】
上記の梱包構造１の部材を組み付ける際には、まず、第１及び第２保持板４，５をスリット７，７によって互いに係合させ、互いに直交するように十字状に組み合わせる。
【００５８】
そして、第１及び第２保持板４，５の各突片８が上側又は下側仕切部材側に向かってそれぞれ突出するように、第１及び第２保持板４，５を置き、第１及び第２保持板４，５と上側及び下側仕切部材２，３とを組み付ける。すなわち、第１及び第２保持板４，５の各突片８と、上側及び下側仕切部材２，３側の各切欠２３，３３とを係合させる。十字に組み合わされた第１及び第２保持板４，５の上端が上側仕切板２１に当接し、第１及び第２保持板４，５の下端が下側仕切板３１に当接した状態で、第１及び第２保持板４，５が上側及び下側仕切部材２，３を保持する。
【００５９】
そして、図３に示すように、組み付けられた第１及び第２保持板４，５と上側及び下側仕切部材２，３とを収納箱６に収納する。
【００６０】
上側及び下側仕切板２１，３１の大きさは、収納箱６の内側の寸法とほぼ同じに形成されている。このため、上側及び下側仕切部材２，３の各側壁部２２，３２と収納箱６の各側壁６２との間に隙間がないように、上側及び下側仕切部材２，３が収納箱６に収納されるので、収納箱６内で上側及び下側仕切部材２，３が、がたつかないようになっている。
【００６１】
製品９を上側収納孔２５から挿入して、上側収納孔２５に相対する位置に形成されている下側収納孔３５まで貫通させて、上側及び下側収納孔２５，３５の開口周縁部によって製品を支持する。
【００６２】
ここで、下側仕切部材３の各側壁部３２，３２，…の高さが、収納箱６の側壁６２の高さの約４分の１となるように各側壁部３２，３２，…が形成されて、下側仕切板３１が収納箱６の下端から約４分の１の高さに位置するようになっている。また、第１及び第２保持板４，５の幅方向の長さが、収納箱６の側壁６２の高さの約４分の２となるように第１及び第２保持板４，５が形成されることで、これらに組み付けられる上側仕切板２１が収納箱６の上端から約４分の１の高さに位置するようになっている。収納箱６の側壁６２の高さと略同一の高さの製品９を収納したとき、上側仕切板２１は、製品９の上から４分の１程度の高さに、下側仕切板３１は、製品９の下から４分の１程度の高さに位置する。これにより、製品９の上部及び下部を上側及び下側収納孔２５，３５により支持し、製品９をバランスよく保持することができる。
【００６３】
また、上側仕切板２１が、製品９の上から４分の１程度の高さにあることにより、製品９が上側仕切板２１よりも上側に突出して収納されるので、製品９の取り出しを容易に行うことができる。ここで、製品９によっては、パット等の緩衝材を収納箱６の上下に入れて、搬送時の衝撃強度を高くしてもよい。
【００６４】
上側及び下側仕切板２１，３１に複数の上側及び下側収納孔２５，３５を形成することで、複数の製品９を収納することができる。このとき、収納する製品９の数に拘わらず、第１及び第２保持板４，５と上側及び下側仕切部材２，３との４つの部材により製品９が収納される。すなわち、製品９を仕切って収納する仕切板は、上側及び下側仕切部材２，３の２つで構成され、各上側及び下側収納孔２５，３５を製品９の数に応じて形成すればよく、仕切板の数を増やす必要がないので、材料費を安価にすることができる。
【００６５】
具体的には、図１に示すように、４×６の２４個の製品９を梱包する場合の本実施形態１の例によれば、梱包構造１は、収納箱６の他に、第１及び第２保持板４，５と上側及び下側仕切部材２，３の４つの部材からなる。しかし、縦横に仕切板を組み合わせて、製品９を仕切る空間を形成する梱包構造の場合には、２４個の製品９を梱包するためには、収納箱の他に、少なくとも８つの部材が必要である。
【００６６】
また、例えば、１０×１０の１００個の製品９を梱包する場合においても、本実施形態１に係る梱包構造１においては、上側及び下側仕切部材２，３にそれぞれ１００個の上側及び下側収納孔２５，３５を形成すればよく、必要な部材は、同じく第１及び第２保持板４，５と上側及び下側仕切部材２，３との４つである。一方、縦横に仕切板を組み合わせて、製品９を仕切る空間を形成する梱包構造の場合には、１００個の製品９を梱包するためには、少なくとも１８の部材が必要である。
【００６７】
このように、収納する製品９の数に拘わらず、収納孔が偶数個×偶数個の配列で形成される場合には、収納箱５の他に必要な部材の数が４つとなり、材料費を安価にすることができるとともに、組立のための作業時間も短縮することができる。
【００６８】
なお、第１及び第２保持板４，５は互いに直交して組み合わせたが、必ずしも直交していなくてもよく、互いに交差して組み合わされていればよい。ただし、バランスよく上側及び下側仕切部材２，３を保持するためには、第１及び第２保持板４，５は、互いに直交するか、直角に近い角度で交差して組み合わされることが好ましい。
（実施形態２）
次に、図４に示すように、本発明の実施形態２に係る梱包構造１０について、詳細に説明する。なお、図１と同じ構成要素については同じ符号を付し、実施形態１と同じ部分については、その詳細な説明は省略する。
【００６９】
実施形態２に係る梱包構造１０は、上側及び下側収納孔２５，３５が、第２保持板５の延びる方向に５つ形成され、第１保持板４を２つ備える点で、実施形態１に係る梱包構造１と異なる。
【００７０】
すなわち、２つの第１保持板４，４は間隔をあけて互いに平行に配置され、この２つの第１保持板４，４と直交して第２保持板５が組み合わされる。各第１保持板４，４の長手方向中央には、スリット７が形成されており、第２保持板５には、長手方向に２箇所スリット７，７が形成されている。これらが組み合わされたとき、第１保持板４，４は、第２保持板５の長手方向の中心に関して互いに対称となるように配設される。
【００７１】
上側及び下側収納孔２５，３５は、第１保持板４の延びる方向に５つ、第２保持板５の延びる方向に６つ形成されている。なお、上側及び下側収納孔２５，３５の数は、これらには限定されず、第１保持板４延びる方向に奇数個、第２保持板５の延びる方向に偶数個開けられればよい。
【００７２】
上側及び下側仕切部材２，３の切欠２３，３３のうち、上側及び下側仕切板２１，３１における第２保持板５の延びる方向の正方形の各辺に形成される切欠２３，３３は、２つの第１保持板４，４の突片８，８，…に対応して、２箇所ずつ設けられている。この切欠２３，３３と第１保持板４，４の各突片８とが係合するとき、第１保持板４，４は、上側及び下側収納孔２５，３５と重ならない位置に配置される。その他の構成は、実施形態１と同じである。
【００７３】
第１及び第２保持板４，５と、上側及び下側仕切部材２，３とを組み付けたとき、仕切板２１，３１の厚さ方向から見て、第２保持板５が、第１保持板４の延びる方向に収納孔２５，３５をそれぞれ２分割し、かつ、上側及び下側仕切板２１，３１の中心を通る位置に配設される。すなわち、上側及び下側収納孔２５，３５が第２保持板５に関してそれぞれ対称に配置される。一方、２つの第１保持板４，４が、仕切板２１，３１の厚さ方向から見て、上側及び下側仕切板２１，３１の中心に関して互いに対称に配設される。このように、第１及び第２保持板４，５によって、上側及び下側仕切部材２，３がバランスよく保持される。
【００７４】
また、収納する製品９の数に拘わらず、収納孔が偶数個×奇数個の配列で形成される場合、収納箱６の他に必要な部材が、第１及び第２保持板４，５の３つと、上側及び下側仕切部材２，３の２つとの５つとなり、材料費を安価にすることができるとともに、組立のための作業時間も短縮することができる。
【００７５】
なお、第１及び第２保持板４，５は互いに直交して組み合わせたが、必ずしも直交していなくてもよく、互いに交差して組み合わされていればよい。また、第１保持板４，４は、互いに平行に配置したが、必ずしも平行でなくてもよく、間隔をあけて並べられていればよい。ただし、バランスよく上側及び下側仕切部材２，３を保持するためには、第１及び第２保持板４，５は、互いに直交するか、直角に近い角度で交差して組み合わされ、第１保持板４，４は互いに平行か、平行に近い状態で並べられることが好ましい。
（実施形態３）
次に、図５に示すように、本発明の実施形態３に係る梱包構造４０について、詳細に説明する。なお、図１と同じ構成要素については同じ符号を付し、実施形態１と同じ部分については、その詳細な説明は省略する。
【００７６】
実施形態３に係る梱包構造４０は、上側及び下側収納孔２５，３５が、第１保持板４の延びる方向に５つ、第２保持板５の延びる方向に７つ形成され、第１保持板４と第２保持板５とをそれぞれ２つずつ備える点で、実施形態１に係る梱包構造１と異なる。
【００７７】
すなわち、２つの第１保持板４，４は間隔をあけて互いに平行に配置され、２つの第２保持板５，５も間隔をあけて互いに平行に配置され、各第１保持板４，４と各第２保持板５，５とがそれぞれ直交して組み合わされる。各第１及び第２保持板４，５の長手方向には、それぞれ２箇所にスリット７，７が形成されている。これらが組み合わされたとき、仕切板２１，３１の厚さ方向から見て、第１保持板４，４は、第２保持板５の長手方向の中心に関して互いに対称となるように配設される一方、第２保持板５，５は、第１保持板４の長手方向の中心に関して互いに対称となるように配設される。
【００７８】
上側及び下側収納孔２５，３５が、第１保持板４の延びる方向に５つ、第２保持板５の延びる方向に７つ形成されている。なお、上側及び下側収納孔２５，３５の数は、これらには限定されず、第１保持板４と平行な方向に奇数個、第２保持板５と平行な方向に奇数個開けられればよい。
【００７９】
上側及び下側仕切部材２，３の切欠２３，３３は、第１及び第２保持板４，５の各突片８，８，…に対応して、上側及び下側仕切板２１，３１における正方形の各辺に２箇所ずつ設けられている。切欠２３，３３と第１及び第２保持板４，５の各突片８とが係合するときに、第１及び第２保持板４，５は、各上側及び下側収納孔２５，３５と重ならない位置に配置される。その他の構成は、実施形態１と同じである。
【００８０】
第１及び第２保持板４，５と、上側及び下側仕切部材２，３とを組み付けたとき、仕切板２１，３１の厚さ方向に見て、第１保持板４，４が仕切板２１，３１の中心に関して互いに対称に配設される一方、第２保持板５，５も仕切板２１，３１の中心に関して互いに対称に配設される。このため、第１及び第２保持板４，５によって、上側及び下側仕切部材２，３がバランスよく保持される。
【００８１】
また、収納する製品９の数に拘わらず、収納孔が奇数個×奇数個の配列で形成される場合、収納箱６の他に必要な部材が、第１及び第２保持板４，５の４つと上側及び下側仕切部材２，３の２つとの６つとなり、材料費を安価にすることができるとともに、組立のための作業時間も短縮することができる。
【００８２】
また、４つの保持板４，５によって上側及び下側仕切部材２，３を保持するので、２つの保持板４，５により保持する場合に比べて、堅固な梱包構造なる。
【００８３】
なお、第１及び第２保持板４，５はそれぞれ互いに直交して組み合わせたが、必ずしも直交していなくてもよく、互いに交差して組み合わされていればよい。また、第１保持板４，４及び第２保持板５，５は、それぞれ互いに平行に配置したが、必ずしも平行でなくてもよく、間隔をあけて並べられていればよい。ただし、バランスよく上側及び下側仕切部材２，３を保持するためには、第１及び第２保持板４，５は、互いに直交するか、直角に近い角度で交差して組み合わされ、第１保持板４，４及び第２保持板５，５は、それぞれ互いに平行か、平行に近い状態で並べられることが好ましい。
（実施形態４）
次に、図６に示すように、本発明の実施形態４に係る梱包構造５０について、詳細に説明する。なお、図１と同じ構成要素については同じ符号を付し、実施形態１と同じ部分については、その詳細な説明は省略する。
【００８４】
実施形態４に係る梱包構造５０は、下側収納孔３５，３５，…が上側収納孔２５，２５，…よりも大きな開口となるように形成されている点で、実施形態１に係る梱包構造１と異なる。
【００８５】
例えば、各上側収納孔２５が、２８ｍｍ×５３ｍｍの矩形状に形成されている場合、各下側収納孔３５を３０ｍｍ×５５ｍｍの矩形状に形成する。このようにすることで、上側収納孔２５に挿入した製品９を容易に下側収納孔３５まで挿入して貫通させることができる。
【００８６】
また、実施形態４に係る梱包構造５０は、上側仕切板２１から収納箱６の上端までの高さｈ１が、収納箱６の下端から下側仕切板３１までの高さｈ２よりも小さい点においても、実施形態１に係る梱包構造１と異なる。
【００８７】
すなわち、収納箱６の蓋６３を閉じたとき、上側仕切板２１から収納箱６の蓋６３までの高さｈ１は実施形態１と同じであって、製品９の上から４分の１程度の高さである。一方、収納箱６の底面６１から下側仕切板３１までの高さｈ２は、実施形態１の場合よりも大きい。これは、下側仕切部材３の各側壁部３２の高さを実施形態１の場合よりも大きくし、第１及び第２保持板４，５の幅方向の長さを実施形態１の場合よりも短くすることによって、ｈ１よりもｈ２を大きく設定することができる。
【００８８】
これにより、上側仕切板２１と下側仕切板３１との間隔が狭くなり、上側収納孔２５と下側収納孔３５とが近くなるので、上側収納孔２５から下側収納孔３５へ製品９を容易に挿入することができる。その他の構成は、実施形態１と同じである。
（実施形態５）
次に、図７に示すように、本発明の実施形態５に係る梱包構造６０について、詳細に説明する。なお、図１と同じ構成要素については同じ符号を付し、実施形態１と同じ部分については、その詳細な説明は省略する。
【００８９】
実施形態５に係る梱包構造６０は、各上側収納孔２５，２５，…の開口周縁から下方に向かって内側に突出する可撓性の突出片２６，２６，…が形成されている点で実施形態１と異なる。
【００９０】
具体的には、図８にも示すように、突出片２６は、上側収納孔２５を形成する上側仕切板２１の開口周縁の矩形の各辺から、それぞれ下方に向かって内側に突出する４つの独立した台形形状に形成されている。各突出片２６は、上下に撓むことができるように形成されている。また、実施形態４と同様に、上側仕切板２１から収納箱６の上端までの高さｈ１が、収納箱６の下端から下側仕切板３１までの高さｈ２よりも小さい。その他の構成は、実施形態１と同じである。
【００９１】
製品９の断面の大きさよりも少し大きめに開けられている上側収納孔２５から、突出片２６が内側に向かって突出している。このため、製品９を上側収納孔２５に挿入すると、製品９に押されて突出片２６が下方に撓む。突出片２６を撓ませて挿入することにより、製品９が突出片２６の復元力により保持され、製品９のがたつきを抑制することができる。また、突出片２６が輸送時の振動、落下の衝撃等の緩衝材としての役目を果たすことができる。そして、突出片２６が下方に向かって突出していることにより、突出片２６が抵抗となりにくく製品９を挿入しやすいとともに、突出片２６が撓みやすくなっている。
【００９２】
なお、突出片２６は、上側収納孔２５を形成する上側仕切板２１の開口周縁の矩形の辺のうち、対向する２辺から突出する２つの台形形状に形成されていてもよい。
（実施形態６）
次に、図９に示すように、本発明の実施形態６に係る梱包構造７０について、詳細に説明する。なお、図６と同じ構成要素については同じ符号を付し、実施形態１及び５と同じ部分については、その詳細な説明は省略する。
【００９３】
実施形態６の梱包構造７０は、各下側収納孔３５，３５，…の開口周縁から下方に向かって内側に突出する可撓性の突出片３６，３６，…が形成されている点で実施形態１と異なる。
【００９４】
具体的には、図１０にも示すように、突出片３６は、実施形態５における、上側収納孔２５に形成された突出片２６と同様の形状に形成されている。すなわち、突出片３６は、下側収納孔３５を形成する下側仕切板３１の開口周縁の矩形の各辺から、それぞれ下方に向かって内側に突出する４つの独立した台形形状に形成されている。各突出片３６は、上下に撓むことができるように形成されている。その他の構成は、実施形態５と同じである。
【００９５】
下側収納孔３５において、突出片３６を撓ませて製品９を挿入することにより、製品９が突出片３６の復元力により保持され、製品９のがたつきを抑制することができるとともに、突出片３６が輸送時の振動、落下の衝撃等の緩衝材としての役目を果たすことができる。また、上側収納孔２５には突出片が形成されていないため、製品９が挿入しやすい。
【００９６】
なお、突出片３６は、下側収納孔３５を形成する下側仕切板３１の開口周縁の矩形の辺のうち、対向する２辺から突出する２つの台形形状に形成されていてもよい。
（実施形態７）  
次に、図１１に示すように、本発明の実施形態７に係る梱包構造８０について、詳細に説明する。なお、図６と同じ構成要素については同じ符号を付し、実施形態１，５及び６と同じ部分については、その詳細な説明は省略する。
【００９７】
実施形態７の梱包構造８０は、上側及び下側収納孔２５，３５の開口周縁から下方に向かって内側に突出する可撓性の突出片２６，３６がそれぞれ形成されている点で実施形態１と異なる。
【００９８】
具体的には、図１２にも示すように、各上側収納孔２５，２５，…には、実施形態５と同様の突出片２６，２６，…が形成され、各下側収納孔３６，３６，…には、実施形態６と同様の突出片３６，３６，…が形成されている。その他構成は、実施形態５及び６と同じである。
【００９９】
上側収納孔２５と下側収納孔３５との２箇所において、突出片２６，３６が緩衝材としての役目を果たすことにより、上側及び下側収納孔２５，３５のいずれか１箇所にのみ突出片が形成される場合に比べて、より衝撃に強い梱包構造とすることができる。
（その他の実施形態）
なお、上述の実施形態は、本発明の例示であって、本発明はこの例に限定されるものではない。
【０１００】
例えば、以下のような構成としてもよい。
【０１０１】
すなわち、上記各実施形態では、収納孔２５，３５は矩形状としたが、この形状には限定されず、円形や楕円形に形成されていてもよい。収納孔２５，３５は、製品９の断面形状をわずかに拡大した形状であることが好ましいが、製品９が携帯電話である場合には、収納孔２５，３５を円形または楕円形とすると、携帯電話のコーナー付近が収納孔２５，３５の開口周縁で保持されるので、輸送時の振動、落下の衝撃等に強くなる。
【産業上の利用可能性】
【０１０２】
以上説明したように、本発明は、複数の電子機器等の製品を梱包する梱包構造について有用である。
【図面の簡単な説明】
【０１０３】
【図１】本発明の実施形態１に係る梱包構造の分解斜視図である。
【図２】実施形態１の第１及び第２保持板の分解斜視図である。
【図３】図１のIII−III線断面図である。
【図４】本発明の実施形態２を示す図１相当図である。
【図５】本発明の実施形態３を示す図１相当図である。
【図６】本発明の実施形態４を示す図３相当図である。
【図７】本発明の実施形態５を示す図１相当図である。
【図８】実施形態５を示す図３相当図である。
【図９】本発明の実施形態６を示す図１相当図である。
【図１０】実施形態６を示す図３相当図である。
【図１１】本発明の実施形態７を示す図１相当図である。
【図１２】実施形態７を示す図３相当図である。
【符号の説明】
【０１０４】
１，１０，４０，５０，６０，７０，８０  梱包構造
４    第１保持板
５    第２保持板
６    収納箱
８    突片
９    製品９
２１  上側仕切板
２３  切欠
２５  上側収納孔
２６  突出片
３１  下側仕切板
３３  切欠
３５  下側収納孔
３６  突出片
【図１】
2008030827.tif 000003
【図２】
2008030827.tif 000004
【図３】
2008030827.tif 000005
【図４】
2008030827.tif 000006
【図５】
2008030827.tif 000007
【図６】
2008030827.tif 000008
【図７】
2008030827.tif 000009
【図８】
2008030827.tif 000010
【図９】
2008030827.tif 000011
【図１０】
2008030827.tif 000012
【図１１】
2008030827.tif 000013
【図１２】
2008030827.tif 000014